【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
微生物を含む活性汚泥により、下水等の被処理水に対し硝化及び脱窒を行う硝化脱窒槽と、
前記硝化脱窒槽に設置されたアンモニアセンサと、
硝化脱窒槽内に設置された散気管を介して前記硝化脱窒槽へ酸素を供給するブロワと、
前記ブロワの曝気風量を制御する曝気風量制御部と、を備え、
前記曝気風量制御部は、
前記アンモニアセンサにより計測される前記硝化脱窒槽内のアンモニア性窒素濃度に応じて、硝化に適する曝気風量を供給する曝気運転と、前記微生物にとっては疑似無酸素状態であって前記活性汚泥が被処理水中に分散する状態を維持し得る曝気風量を供給する微曝気運転とを切替え制御することを特徴とする水処理監視制御システム。
【請求項２】
請求項１に記載の水処理監視制御システムにおいて、
前記曝気風量制御部は、
予め設定されたアンモニア性窒素濃度設定値を保持し、
前記計測される硝化脱窒槽内のアンモニア性窒素濃度がアンモニア性窒素濃度設定値以下の場合、前記微曝気運転に切り替え、
前記計測される硝化脱窒槽内のアンモニア性窒素濃度が前記アンモニア性窒素濃度設定値を超える場合、前記曝気運転に切り替えることを特徴とする水処理監視制御システム。
【請求項３】
請求項２に記載の水処理監視制御システムにおいて、
前記曝気風量制御部は、微曝気運転中に、前記計測される硝化脱窒槽内のアンモニア性窒素濃度が前記アンモニア性窒素濃度設定値を超えた場合、所定時間経過後に微曝気運転に切り替えることを特徴とする水処理監視制御システム。
【請求項４】
請求項２に記載の水処理監視制御システムにおいて、
前記曝気風量制御部は、
前記曝気運転から前記微曝気運転への切替え判定を行うための第１のアンモニア性窒素濃度設定値と、前記微曝気運転から前記曝気運転への切替え判定を行うための第２のアンモニア性窒素濃度設定値を予め保持し、前記第２のアンモニア性窒素濃度設定値は前記第１のアンモニア性窒素濃度設定値よりも高い値に設定することを特徴とする水処理監視制御システム。
【請求項５】
請求項１から請求項４のうち、いずれか１項に記載の水処理監視制御システムにおいて、
前記硝化脱窒槽の上流側に好気槽を備え、前記好気槽により硝化された被処理水を前記硝化脱窒槽へ流入することを特徴とする水処理監視制御システム。
【請求項６】
請求項５に記載の水処理監視制御システムにおいて、
前記ブロワと前記好気槽とを第１の風量調整弁を介して接続し、前記ブロワと前記硝化脱窒槽とを第２の風量調整弁を介して接続することを特徴とする水処理監視制御システム。
【請求項７】
請求項５に記載の水処理監視制御システムにおいて、
前記硝化脱窒槽へ酸素を供給する第１のブロワと、前記好気槽へ酸素を供給する第２のブロワとを有することを特徴とする水処理監視制御システム。
【請求項８】
請求項２に記載の水処理監視制御システムにおいて、
前記曝気風量制御部は、
予め曝気運転時間及び曝気停止時間を保持すると共に、微曝気運転時の曝気風量より小さく散気管内部への前記被処理水の逆流を防止し得る微小曝気風量値を保持し、
前記計測される硝化脱窒槽内のアンモニア性窒素濃度が前記アンモニア性窒素濃度設定値を超える場合、前記予め保持された曝気運転時間継続して曝気運転し、
曝気運転時間終了後、前記予め保持された曝気停止時間、前記微小曝気風量値となるよう前記ブロワを制御し、
曝気運転中において、測定される硝化脱窒槽内のアンモニア性窒素濃度がアンモニア性窒素濃度設定以下の場合、前記微曝気運転に切り替えることを特徴とする水処理監視制御システム。
【請求項９】
請求項２に記載の水処理監視制御システムにおいて、
前記硝化脱窒槽に硝酸センサを備え、
前記曝気風量制御部は、
第一硝酸性窒素濃度設定値、当該第一硝酸性窒素濃度設定値よりも低い第二硝酸性窒素濃度設定値、及び前記第一硝酸性窒素濃度設定値と第二硝酸性窒素濃度設定値の間の値である前記アンモニア性窒素濃度設定値を予め保持すると共に、前記微曝気運転時の曝気風量より小さく前記散気管内部への前記被処理水の逆流を防止し得る微小曝気風量値を保持し、
前記計測されるアンモニア性窒素濃度が前記アンモニア性窒素濃度設定値を超え、前記硝酸センサにより測定される硝酸性窒素濃度が第一硝酸性窒素濃度設定値以下の期間、前記曝気運転し、
前記計測される硝酸性窒素濃度が前記第一硝酸性窒素濃度設定値以下で、前記計測される硝酸性窒素濃度が前記第二硝酸性窒素濃度設定値を超える期間、前記微小曝気風量値となるよう前記ブロワを制御し、
前記計測されるアンモニア性窒素濃度が前記アンモニア性窒素濃度設定値以下で、前記計測される硝酸性窒素濃度が前記第二硝酸性窒素濃度設定値を超える期間、微曝気運転することを特徴とする水処理監視制御システム。
【請求項１０】
微生物を含む活性汚泥により、下水等の被処理水に対し硝化及び脱窒を行う硝化脱窒槽を用いた水処理方法であって、
前記硝化脱窒槽に設置されたアンモニアセンサにより計測される前記硝化脱窒槽内のアンモニア性窒素濃度に応じて、硝化に適する曝気風量を前記硝化脱窒槽へ供給する曝気運転と、前記微生物にとっては疑似無酸素状態であって前記活性汚泥が被処理水中に分散する状態を維持し得る曝気風量を前記硝化脱窒槽へ供給する微曝気運転とを切替えることを特徴とする水処理方法。
【請求項１１】
請求項１０に記載の水処理方法において、
予め設定されたアンモニア性窒素濃度設定値を保持し、
前記計測される硝化脱窒槽内のアンモニア性窒素濃度がアンモニア性窒素濃度設定値以下の場合、前記微曝気運転に切り替え、
前記計測される硝化脱窒槽内のアンモニア性窒素濃度が前記アンモニア性窒素濃度設定値を超える場合、前記曝気運転に切り替えることを特徴とする水処理方法。
【請求項１２】
請求項１１に記載の水処理方法において、
微曝気運転中に、前記計測される硝化脱窒槽内のアンモニア性窒素濃度が前記アンモニア性窒素濃度設定値を超えた場合、所定時間経過後に微曝気運転に切り替えることを特徴とする水処理方法。
【請求項１３】
請求項１１に記載の水処理方法において、
前記曝気運転から前記微曝気運転への切替え判定を行うための第１のアンモニア性窒素濃度設定値と、前記微曝気運転から前記曝気運転への切替え判定を行うための第２のアンモニア性窒素濃度設定値を予め保持し、前記第２のアンモニア性窒素濃度設定値は前記第１のアンモニア性窒素濃度設定値よりも高い値に設定することを特徴とする水処理方法。
【請求項１４】
請求項１１に記載の水処理方法において、
予め曝気運転時間及び曝気停止時間を保持すると共に、微曝気運転時の曝気風量より小さく前記硝化脱窒槽に設けられた散気管内部への前記被処理水の逆流を防止し得る微小曝気風量値を保持し、
前記計測される硝化脱窒槽内のアンモニア性窒素濃度が前記アンモニア性窒素濃度設定値を超える場合、前記予め保持された曝気運転時間継続して曝気運転し、
曝気運転時間終了後、前記予め保持された曝気停止時間、前記微小曝気風量値となるようブロワを制御し、
曝気運転中において、前記計測される硝化脱窒槽内のアンモニア性窒素濃度がアンモニア性窒素濃度設定以下の場合、前記微曝気運転に切り替えることを特徴とする水処理方法。
【請求項１５】
請求項１１に記載の水処理方法において、
第一硝酸性窒素濃度設定値、当該第一硝酸性窒素濃度設定値よりも低い第二硝酸性窒素濃度設定値、及び前記第一硝酸性窒素濃度設定値と第二硝酸性窒素濃度設定値の間の値である前記アンモニア性窒素濃度設定値を予め保持すると共に、前記微曝気運転時の曝気風量より小さく散気管内部への前記被処理水の逆流を防止し得る微小曝気風量値を保持し、
前記計測されるアンモニア性窒素濃度が前記アンモニア性窒素濃度設定値を超え、前記硝化脱窒槽に設けられた硝酸センサにより計測される硝酸性窒素濃度が第一硝酸性窒素濃度設定値以下の期間、曝気運転し、
前記計測される硝酸性窒素濃度が第一硝酸性窒素濃度設定値以下で、前記計測される硝酸性窒素濃度が前記第二硝酸性窒素濃度設定値を超える期間、前記微小曝気風量値となるようブロワを制御し、
前記計測されるアンモニア性窒素濃度が前記アンモニア性窒素濃度設定値以下で、前記計測される硝酸性窒素濃度が前記第二硝酸性窒素濃度設定値を超える期間、前記微曝気運転することを特徴とする水処理方法。
【請求項１６】
微生物を含む活性汚泥により、下水等の被処理水に対し硝化及び脱窒を行う硝化脱窒槽と、
前記硝化脱窒槽に設置されたアンモニアセンサと、
前記硝化脱窒槽内に設置された散気管を介して前記硝化脱窒槽へ酸素を供給するブロワと、
前記硝化脱窒槽の下流側に設置され、汚泥掻寄機を有し前記硝化脱窒槽より流入する被処理水から前記活性汚泥を沈降させ、上澄み液を分離し処理水として排出する最終沈殿池と、
前記ブロワの曝気風量を制御する曝気風量制御部と、を備え、
前記曝気風量制御部は、
前記アンモニアセンサにより計測される前記硝化脱窒槽内のアンモニア性窒素濃度に応じて、硝化に適する曝気風量を供給する曝気運転と、前記微生物にとっては疑似無酸素状態であって前記活性汚泥が被処理水中に分散する状態を維持し得る曝気風量を供給する微曝気運転とを切替え制御することを特徴とする水処理システム。
【請求項１７】
請求項１６に記載の水処理システムにおいて、
前記曝気風量制御部は、
予め設定されたアンモニア性窒素濃度設定値を保持し、
前記計測される硝化脱窒槽内のアンモニア性窒素濃度がアンモニア性窒素濃度設定値以下の場合、前記微曝気運転に切り替え、
前記計測される硝化脱窒槽内のアンモニア性窒素濃度が前記アンモニア性窒素濃度設定値を超える場合、前記曝気運転に切り替えることを特徴とする水処理システム。
【請求項１８】
請求項１７に記載の水処理システムにおいて、
前記曝気風量制御部は、微曝気運転中に、前記計測される硝化脱窒槽内のアンモニア性窒素濃度が前記アンモニア性窒素濃度設定値を超えた場合、所定時間経過後に微曝気運転に切り替えることを特徴とする水処理システム。
【請求項１９】
請求項１７に記載の水処理システムにおいて、
前記曝気風量制御部は、
前記曝気運転から前記微曝気運転への切替え判定を行うための第１のアンモニア性窒素濃度設定値と、前記微曝気運転から前記曝気運転への切替え判定を行うための第２のアンモニア性窒素濃度設定値を予め保持し、前記第２のアンモニア性窒素濃度設定値は前記第１のアンモニア性窒素濃度設定値よりも高い値に設定することを特徴とする水処理システム。
【請求項２０】
請求項１７に記載の水処理システムにおいて、
前記硝化脱窒槽に硝酸センサを備え、
前記曝気風量制御部は、
第一硝酸性窒素濃度設定値、当該第一硝酸性窒素濃度設定値よりも低い第二硝酸性窒素濃度設定値、及び前記第一硝酸性窒素濃度設定値と第二硝酸性窒素濃度設定値の間の値である前記アンモニア性窒素濃度設定値を予め保持すると共に、微曝気運転時の曝気風量より小さく散気管内部への前記被処理水の逆流を防止し得る微小曝気風量値を保持し、
前記計測されるアンモニア性窒素濃度が前記アンモニア性窒素濃度設定値を超え、前記硝酸センサにより測定される硝酸性窒素濃度が第一硝酸性窒素濃度設定値以下の期間、前記曝気運転し、
前記計測される硝酸性窒素濃度が前記第一硝酸性窒素濃度設定値以下で、前記計測される硝酸性窒素濃度が前記第二硝酸性窒素濃度設定値を超える期間、前記微小曝気風量値となるよう前記ブロワを制御し、
前記計測されるアンモニア性窒素濃度が前記アンモニア性窒素濃度設定値以下で、前記計測される硝酸性窒素濃度が前記第二硝酸性窒素濃度設定値を超える期間、前記微曝気運転することを特徴とする水処理システム。